(57)【要約】    【課題】  店舗の出入口で使用される床マットにおいて、容易かつ安価に模様の異なる複数種類の床マットを製造することができるようにすること。    【解決手段】  本発明では、基板の上面に光源を実装するとともに、前記基板の上方に文字や図形からなる模様を表出させるための透光部を有する模様板を覆設することによって電飾装置を形成し、この電飾装置をマット本体の一部に形成した電飾装置収容凹部に収容することにした。また、電飾装置は、前記模様板の裏面に文字や図形からなる模様を刻設することによって薄肉状の透光部を形成することにした。さらに、電飾装置は、前記基板の上面に太陽電池を前記光源を囲むようにして実装することにした。【選択図】      図１
2006198082.tif 000002
【特許請求の範囲】
【請求項１】
基板の上面に光源を実装するとともに、前記基板の上方に文字や図形からなる模様を表出させるための透光部を有する模様板を覆設することによって電飾装置を形成し、この電飾装置をマット本体の一部に形成した電飾装置収容凹部に収容したことを特徴とする床マット。
【請求項２】
前記電飾装置は、前記模様板の裏面に文字や図形からなる模様を刻設することによって薄肉状の透光部を形成したことを特徴とする請求項１に記載の床マット。
【請求項３】
前記電飾装置は、前記基板の上面に太陽電池を前記光源を囲むようにして実装したことを特徴とする請求項１又は請求項２に記載の床マット。
【発明の詳細な説明】
【技術分野】
【０００１】
本発明は、床上に敷設されて使用される床マットに関するものである。
【背景技術】
【０００２】
従来より、各種店舗の入口の床上に敷かれて使用される足拭き用の床マットが広く知られている。
【０００３】
この床マットは、単に足拭き用のマットとしての機能を有するものばかりではなく、マットの表面に「いらっしゃいませ」や「ＥＮＴＲＡＮＣＥ」などのメッセージや店舗名や店舗のロゴマークなどの模様を形成して、顧客の注意を引き付ける機能を有するものもある。
【０００４】
特に、近年では、床マットの内部に光源を収容して、光を用いて文字や図形からなる模様を表出させた電飾機能付きの床マットも知られている。
【０００５】
この電飾機能付きの床マットとしては、光源としてＥＬ（エレクトロルミネッセンス）シートを用い、このＥＬシートの上面に模様を繰り抜いたマット本体を貼着して形成しており、マット本体の繰り抜いた模様の部分から光が露出することによって模様が表出されるようになっていた（たとえば、特許文献１参照。）。
【特許文献１】特開平６−１８９８９０号公報
【発明の開示】
【発明が解決しようとする課題】
【０００６】
ところが、上記従来の電飾機能付きの床マットでは、マット本体に模様を繰り抜いて形成していたために、異なる模様の床マットを製造するためにはマット本体自体を作り変えなければならず、模様が異なる複数種類の床マットを製造する場合にマット本体を共通部品化することができず、製造に要するコストが上昇していた。
【０００７】
また、既存の床マットから模様の異なる床マットに変更する場合にも、床マット全体を交換しなければならず、床マットの変更に多大な時間や労力やコストを要していた。
【課題を解決するための手段】
【０００８】
そこで、請求項１に係る本発明では、基板の上面に光源を実装するとともに、前記基板の上方に文字や図形からなる模様を表出させるための透光部を有する模様板を覆設することによって電飾装置を形成し、この電飾装置をマット本体の一部に形成した電飾装置収容凹部に収容することにした。
【０００９】
また、請求項２に係る本発明では、前記請求項１に係る本発明において、前記電飾装置は、前記模様板の裏面に文字や図形からなる模様を刻設することによって薄肉状の透光部を形成することにした。
【００１０】
また、請求項３に係る本発明では、前記請求項１又は請求項２に係る本発明において、前記電飾装置は、前記基板の上面に太陽電池を前記光源を囲むようにして実装することにした。
【発明の効果】
【００１１】
そして、本発明では、以下に記載する効果を奏する。
【００１２】
すなわち、請求項１に係る本発明では、基板の上面に光源を実装するとともに、基板の上方に文字や図形からなる模様を表出させるための透光部を有する模様板を覆設することによって電飾装置を形成し、この電飾装置をマット本体の一部に形成した電飾装置収容凹部に収容することにしているために、模様の異なる複数種類の模様板を準備しておき、床マットに装着する模様板の模様を異ならせるだけで、模様の異なる床マットとすることができるので、模様板以外の部品を共通部品として使用することができ、床マットの製造や異なる模様への変更を容易かつ安価に行うことができる。
【００１３】
また、請求項２に係る本発明では、模様板の裏面に文字や図形からなる模様を刻設することによって薄肉状の透光部を形成しているために、模様の異なる複数種類の模様板を容易かつ安価に製造することができる。
【００１４】
また、請求項３に係る本発明では、基板の上面に太陽電池を光源を囲むようにして実装することにしているために、床マットの内部に電源を内蔵させることができ、外部から別途電源を装着する必要が無くなり、床マットの使い勝手を向上させることができる。
【発明を実施するための最良の形態】
【００１５】
以下に、本発明に係る床マットの具体的な構造について図面を参照しながら説明する。
【００１６】
図１に示すように、床マット１は、台座２とマット３とでマット本体４を構成するとともに、このマット本体４の正面視で中央上部に電飾装置収容凹部５を形成し、この電飾装置収容凹部５に電飾装置６を交換可能に収容している。
【００１７】
この床マット１の各部の構造について説明すると、台座２は、図１及び図２に示すように、可撓性を有する合成ゴム製で形成されており、矩形板状のシート部７の周縁に矩形枠状の枠部８を形成し、この枠部８の内側凹部にマット本体４を交換自在に収容するようにしている。
【００１８】
マット３は、可撓性を有する合成ゴム製の矩形板状のマットシート９の上面にブラシ10を植設しており、正面視で中央上部に横長矩形状の貫通孔11を形成している。このマット３に形成した貫通孔11がマット本体４の電飾装置収容凹部５を形成している。
【００１９】
電飾装置６は、図２及び図３に示すように、横長矩形板状の基板12の上面に光源としてＬＥＤ13と電源としての太陽電池14とを複数個並べて実装し、基板12の上面を透光性を有する透明の樹脂15で封止するとともに、樹脂15の上面に矩形板状の模様板16を交換可能に貼着している。
【００２０】
この電飾装置６は、基板12の上面に複数個のＬＥＤ13を縦横に整列させて実装するとともに、このＬＥＤ13の周囲を囲むようにして矩形板状の太陽電池14を実装している。
【００２１】
このように、電飾装置６は、ＬＥＤ13を点灯させるための電源として太陽電池14を用いているために、床マット１の内部に電源を内蔵させることができ、床マット１の外部から別途電源を接続する必要が無くなり、また、太陽光や室内光が照射される場所であればどこでも使用することができ、これによって、床マット１の使い勝手を向上させることができる。
【００２２】
しかも、電飾装置６は、ＬＥＤ13の周囲に太陽電池14を実装することによって、太陽電池14の実装個数を増大させ、起電力を増加させてＬＥＤ13の輝度を増加させている。
【００２３】
また、模様板16は、図２、図４及び図５に示すように、透光性を有する透明の樹脂板からなり、裏面に模様を凹状に刻設することによって薄肉状の透光部17を形成している。なお、模様板16は、全体的に透光性を有しているが、薄肉状の透光部17での光透過率がそれ以外の部分での光透過率よりも良好となっており、この光透過率の差異は透光部17での厚みとそれ以外の部分での厚みとによって異ならせることができ、光透過率の差異によって模様の明瞭さを変化させることができる。
【００２４】
この模様板16は、図５に示すように、ＬＥＤ13から射出された光が透光部17を透過して模様を表出するとともに、一部の光が透光部17の裏面で反射して太陽電池14の上面のセンサ面を照射し、さらには、透光部17の周縁の隅部に形成した丸みによって隅部で乱反射して太陽電池14の上面のセンサ面を照射するようになっている。
【００２５】
したがって、太陽電池14は、外部からの太陽光や室内光を受けて発電するとともに、ＬＥＤ13から射出された光の一部をも利用して発電するようになっている。
【００２６】
これにより、電飾装置６は、ＬＥＤ13からの光の一部を太陽電池14での発電に有効に利用することができるので、太陽電池14の起電力を増加させることができ、ＬＥＤ13の輝度を増加させることができる。
【００２７】
また、床マット１は、図２及び図６に示すように、マット３の周縁部を台座２に接着するとともに電飾装置６の周縁部をマット本体４に接着しており、台座２の枠部８とマット３の周縁部との間と、マット本体４の電飾装置収容凹部５の内側周縁部と電飾装置６の外側周縁部との間に、金属製の抵抗線18を配線し、この抵抗線18と太陽電池14との間に断続スイッチ19を接続している。この断続スイッチ19は、基板12の裏面に実装しており、マット本体４のシート部７に形成した貫通孔20から断続操作することができるようにしている。
【００２８】
そして、床マット１は、断続スイッチ19を接続状態として太陽電池14から抵抗線18に電源を供給すると、抵抗線18が発熱して、マット３の周縁部や電飾装置６の周縁部の接着部を溶かし、マット本体４からマット３や電飾装置６を容易に取り外せるようにしている。このように、床マット１は、マット本体４からマット３や電飾装置６を容易に取り外すことができるので、マット３や電飾装置６を容易に交換することができ、また、マット本体４と電飾装置６とを容易に分別して廃棄することができる。なお、抵抗線18は、太陽電池14ではなく外部の電源に接続できるようにしてもよい。
【００２９】
以上に説明したように、床マット１は、基板12の上面に光源としてのＬＥＤ13を実装するとともに、基板12の上方に文字や図形からなる模様を表出させるための透光部17を有する模様板16を覆設することによって電飾装置６を形成し、この電飾装置６をマット本体４の一部に形成した電飾装置収容凹部５に収容した構造となっている。
【００３０】
そのため、模様の異なる複数種類の模様板16を準備しておき、電飾装置６に装着する模様板16の模様を異ならせるだけで、模様の異なる電飾装置６とすることができるので、模様板16を除いた他の部品を共通部品として使用することができ、電飾装置６の製造や異なる模様への変更を容易かつ安価に行うことができる。同様に、模様の異なる複数種類の模様板16を準備しておき、床マット１に装着する模様板16の模様を異ならせるだけで、模様の異なる床マット１とすることができるので、模様板16を除いた部品を共通部品として使用することができ、床マット１の製造や異なる模様への変更を容易かつ安価に行うことができる。
【００３１】
また、床マット１は、模様板16の裏面に文字や図形からなる模様を刻設することによって薄肉状の透光部17を形成しているために、模様の異なる複数種類の模様板16を容易かつ安価に製造することができ、これによっても、電飾装置６の製造を容易かつ安価なものとすることができる。
【００３２】
さらに、床マット１は、基板12と模様板16との間を樹脂15で充填して封止しているために、電飾装置６の強度を増大させることができ、電飾装置６に加重がかかることによる破損を未然に防止することができる。
【図面の簡単な説明】
【００３３】
【図１】本発明に係る床マットを示す斜視図。
【図２】同拡大断面図。
【図３】電飾装置の内部を示す正面図。
【図４】模様板を示す背面図。
【図５】電飾装置の断面を示す説明図。
【図６】床マットを示す正面図。
【符号の説明】
【００３４】
１  床マット                          ２  台座
３  マット                            ４  マット本体
５  電飾装置収容凹部                  ６  電飾装置
７  シート部                          ８  枠部
９  マットシート                      10  ブラシ
11  貫通孔                            12  基板
13  ＬＥＤ                            14  太陽電池
15  樹脂                              16  模様板
17  透光部                            18  抵抗線
19  断続スイッチ                      20  貫通孔
【図１】
2006198082.tif 000003
【図２】
2006198082.tif 000004
【図３】
2006198082.tif 000005
【図４】
2006198082.tif 000006
【図５】
2006198082.tif 000007
【図６】
2006198082.tif 000008